(57)【特許請求の範囲】
【請求項１】
クプレッスス（ｃｕｐｒｅｓｕｓ）属マクロカルパ（ｍａｃｒｏｃａｒｐａ）種に属する園芸植物から得られる園芸植物精油であって、該園芸植物精油は、精油成分中に、サビネン（ｓａｂｉｎｅｎｅ）を１５〜３０重量％、４−テルピネオール（４−ｔｅｒｐｉｎｅｏｌ）を１０〜２５重量％、シトロネロール（ｃｉｔｒｏｎｅｌｌｏｌ）を５〜１０重量％含有するゴールドクレスト精油であることを特徴とする園芸植物精油。
【発明の詳細な説明】
【０００１】
【発明の属する技術分野】
本発明は園芸植物精油に関し、詳しくは、ゴールドクレスト精油のような園芸植物精油に関する。
【０００２】
【従来の技術】
近年、農業用のハウス栽培の普及に伴って施設内での害虫の被害が急激に増加している。しかも薬剤抵抗性の害虫の被害が増加していて、農家での実効のある害虫対策が望まれている。
【０００３】
一方、近年、樹木から得られた精油を害虫忌避剤として利用する技術も進歩しているが、森林資源の中でも、精油成分を含む樹木の種類はごく一部に限られており、特定の樹木に着目して精油を製造しようとすると、瞬時に森林破壊につながる危険性を有している。従って、森林資源に精油を求めるのは地球環境の保全の上から避けねばならない。また森林資源は再生に時間がかかり、計画生産が不可能であり、精油の量産は不可能に近い。更に森林資源は苗から成長までに多大な労力を要し、低コストが望まれる。また精油採取において、純粋精油を得るために植物の汚染防止が必要であり管理栽培が必要だが、森林樹木の汚染防止管理は困難である。
【０００４】
【発明が解決しようとする課題】
そこで、本発明は、精油原料として森林資源を使用せず、計画生産や管理生産ができ、しかも得られる精油の量産化が可能であり、低労力、低コストで製造できる園芸植物精油を提供することにある。
【０００８】
【課題を解決するための手段】
本発明者は、上記課題を解決するために鋭意検討を重ねた結果、本発明に至ったものであり、請求項１に記載の発明は、クプレッスス（ｃｕｐｒｅｓｕｓ）属マクロカルパ（ｍａｃｒｏｃａｒｐａ）種に属する園芸植物から得られる園芸植物精油であって、該園芸植物精油は、精油成分中に、サビネン（ｓａｂｉｎｅｎｅ）を１５〜３０重量％、４−テルピネオール（４−ｔｅｒｐｉｎｅｏｌ）を１０〜２５重量％、シトロネロール（ｃｉｔｒｏｎｅｌｌｏｌ）を５〜１０重量％含有するゴールドクレスト精油であることを特徴とする園芸植物精油である。
【０００９】
精油の成分の中には害虫忌避性や殺虫性を示すものがあり、そのための成分の分析研究も進められており、例えば森林資源であるヒノキ科の精油のなかでヒバ精油に関して、森林総合研究所の谷田貝氏の報告（ａｒｏｍａｔｏｐｉａ  Ｎｏ．９，１９９４）がある。その報告では、ヒバの葉油中に１０％以上の含有率を示すのはサビネン（ｓａｂｉｎｅｎｅ）と、４−テルピネオール（４−ｔｅｒｐｉｎｅｏｌ）であり、これら２成分の合計はアスナロで４０〜４５％、ヒノキアスナロで３０〜３５％であり、これらの成分が抗菌作用を示すことが報告されている。
【００１０】
しかし、サビネン（ｓａｂｉｎｅｎｅ）と、４−テルピネオール（４−ｔｅｒｐｉｎｅｏｌ）のみでは忌避性を示す害虫が制限され、シトロネロール（ｃｉｔｒｏｎｅｌｌｏｌ）が含まれると、忌避性を示す害虫の種類が広まり、更に園芸植物から得られるので、量的にも大量確保でき、森林資源精油の諸問題を解決できる。
【００１１】
【発明の実施の形態】
以下、本発明の実施の形態を説明する。
【００１２】
本発明において、園芸植物というのは、人工的に創成した品種で鑑賞用あるいは観葉の植物を意味する。従って、鑑賞に供さず、建材やパルプ等の用途に生産される天然の森林資源は除かれる。
【００１３】
本発明において、「属」と「種」の定義は、株式会社ワールドグリーン出版社発行の「コニファー」（第１０作）２７７頁以降の学名索引の記載に基づく。例えばクプレッスス（ｃｕｐｒｅｓｕｓ）属マクロカルパ（ｍａｃｒｏｃａｒｐａ）種には、ゴールドクレスト（ｇｏｌｄｃｒｅｓｔ）、ウィルマ（ｗｉｌｍａｒ）などが含まれる。中でも好ましいのは、ゴールドクレスト（ｇｏｌｄｃｒｅｓｔ）である。
【００１４】
ゴールドクレストは、元来、園芸品種のうち、ヨーロッパで作出された鉢植えの観葉植物であり、本品種の幼葉は針がなくてやわらかく、またソフトな黄金色の葉を持つため世界的に流行した。本発明はこのゴールドクレストのような園芸植物を園芸品種として日本を始め世界的に作出し、原料に供するものである。
【００１５】
本発明の園芸植物精油は、クプレッスス（ｃｕｐｒｅｓｕｓ）属マクロカルパ（ｍａｃｒｏｃａｒｐａ）種の各園芸樹木の葉及び又は枝葉を水蒸気蒸留や溶剤による抽出等の手段により得ることができる。
【００１６】
得られた精油の中で好ましい精油は、ゴールドクレスト精油であり、サビネン（ｓａｂｉｎｅｎｅ）、４−テルピネオール（４−ｔｅｒｐｉｎｅｏｌ）及びシトロネロール（ｃｉｔｒｏｎｅｌｌｏｌ）を主成分として含有している。
【００１７】
サビネン（ｓａｂｉｎｅｎｅ）の構造式：
【００１８】
【化１】
0003992829.tif 000002
【００１９】
４−テルピネオール（４−ｔｅｒｐｉｎｅｏｌ）の構造式：
【００２０】
【化２】
0003992829.tif 000003
【００２１】
シトロネロール（ｃｉｔｒｏｎｅｌｌｏｌ）の構造式：
【００２２】
【化３】
0003992829.tif 000004
【００２３】
本発明のゴールドクレスト精油に含まれる各成分は、サビネン（ｓａｂｉｎｅｎｅ）を１５〜３０重量％、４−テルピネオール（４−ｔｅｒｐｉｎｅｏｌ）を１０〜２５重量％、シトロネロール（ｃｉｔｒｏｎｅｌｌｏｌ）を５〜１０重量％各々含有していることが好ましい。
【００２４】
上記以外の成分の主なものとしては、Myrcene （ミルセン）、Limonene（リモネン）、γ-Terpinene（テルピネン）、Camphor （カンファー）等がある。
【００２５】
本発明の精油は、害虫の忌避剤、殺虫剤、ハダニ等の卵孵化防止剤以外に、香料の素材としても使用できる。
【００２６】
【実験例】
以下、実験例によって、本発明について説明する。
【００２７】
クプレッスス（ｃｕｐｒｅｓｕｓ）属マクロカルパ（ｍａｃｒｏｃａｒｐａ）種の各園芸樹木の枝葉を原料とし、水蒸気蒸留を行なって精油を得た。
【００２８】
精油中に若干の水がふくまれているので、前処理としてエーテル抽出を行なって、分析用試料を得た。
【００２９】
得られた試料について、ＧＣ（ガスクロマトグラフィー）分析、ＧＣ−ＭＳ（ガスクロマトグラフィー  マススペクトル）分析を行った。
【００３０】
Ｇ−Ｃ分析条件
装置：ＨＰ  ５８９０シリーズＨ  ＧＣ（ＨＰ社製）
カラム：ＤＢ−ＷＡＸ  ０．２５ｍｍ×６０ｍ×０．２５μｍ
カラム温度：８０℃〜２４０℃、５℃／ｍｉｎ
注入口、検出温度：２５０℃
キャリアーガス：Ｈｅ  １．０ｍｌ／ｍｉｎ
検出器：ＦＩＤ（ＨＰ社製）
ＧＣ−ＭＳ分析
装置：ＨＰ  ５７９０Ａ  ＧＣ−日立  Ｍ８０Ｂ質量分析計
イオン化法：ＥＩ（７０ｅＶ）
イオン源温度：１８０℃
カラム、カラム温度、注入口、検出温度、キャリアーガス、検出器は
ＧＣ分析条件と同じ
分析結果は以下に示す通りである。
0003992829.tif 000005
0003992829.tif 000006
【００３１】
ゴールドクレスト精油がナミハダニの卵の孵化に及ぼす影響
活発に産卵しているナミハダニ雌成虫１０頭を、９ｃｍのプラスチックシャーレ内に作ったインゲンマメのリーフディスク上で２４時間産卵させた。２４時間が経過した後に雌成虫を除去し、そのリーフディスクを容積が２７６０ｃｍ3（３０×２３×４ｃｍ）で蓋が閉められる２つのプラスチック容器内にそれぞれ２〜４シャーレずつ配置した。２つの容器の内、片方の中央にゴールドクレスト精油の粒剤を１粒入れたシャーレを配置した。
【００３２】
リーフディスクは２４時間毎に観察し、孵化率、孵化した幼若虫ステージの発育期間および死亡発育ステージを記録した。
【００３３】
その結果を表１に示す。
【００３４】
【表１】
0003992829.tif 000007
【００３５】
【発明の効果】
本発明によれば、クプレッスス（ｃｕｐｒｅｓｕｓ）属マクロカルパ（ｍａｃｒｏｃａｒｐａ）種に属する園芸植物を原料とするため、精油原料として森林資源を使用せず、計画生産や管理生産ができ、しかも得られる精油の量産化が可能であり、低労力、低コストで製造できる園芸植物精油を提供することができる。
【００３６】
またサビネン（ｓａｂｉｎｅｎｅ）、４−テルピネオール（４−ｔｅｒｐｉｎｅｏｌ）及びシトロネロール（ｃｉｔｒｏｎｅｌｌｏｌ）を主成分として含有するゴールドクレスト精油は、害虫忌避効果やハダニ等の卵孵化防止効果がある。
【００３７】
これらの効果はサビネン（ｓａｂｉｎｅｎｅ）を１５〜３０重量％、４−テルピネオール（４−ｔｅｒｐｉｎｅｏｌ）を１０〜２５重量％、シトロネロール（ｃｉｔｒｏｎｅｌｌｏｌ）を５〜１０重量％含有する場合に顕著である。